(57)【要約】      （修正有）【課題】遅滞なく医用画像閲覧装置で医用画像を表示することができる医用画像管理装置を提供する。【解決手段】医用画像管理装置１は、医用画像撮影装置２により撮影された複数の医用画像の保管に関する保管処理および医用画像に付帯する付帯情報の登録に関する登録処理を実行する処理部１０３と、保管処理および登録処理のうち少なくとも一方が未完了である未完了医用画像のうち、表示端末へのログインに関するユーザの読影分野に対応する未完了医用画像を、表示端末に送信する送受信部１１１とを備える。【選択図】図１
2016221063.tif 000002
【特許請求の範囲】
【請求項１】
医用画像撮影装置により撮影された複数の医用画像の保管に関する保管処理と、前記医用画像に付帯する付帯情報の登録に関する登録処理とを実行する処理部と、
前記保管処理および前記登録処理のうち少なくとも一方が未完了である未完了医用画像のうち、表示端末へのログインに関するユーザの読影分野に対応する前記未完了医用画像を、前記表示端末に送信する送受信部と
を具備する医用画像管理装置。
【請求項２】
前記保管処理および前記登録処理の処理状況を監視する監視部をさらに具備し、
前記監視部は、前記保管処理と前記登録処理とのうち少なくとも一方が所定の時間内において未完了であることを契機として、処理遅延の発生を示す遅延発生通知を前記処理部に出力し、
前記処理部は、前記遅延発生通知の入力に応答して、前記読影分野に対応する前記未完了医用画像を前記送受信部に出力する請求項１に記載の医用画像管理装置。
【請求項３】
前記医用画像を保管する画像保管部と、
前記付帯情報を記憶する検査情報記憶部と
をさらに具備し、
前記画像保管部は、前記保管処理が前記所定の時間内において未完了であることを契機として第１エラーメッセージを前記監視部に出力し、
前記検査情報記憶部は、前記登録処理が前記所定の時間内において未完了であることを契機として第２エラーメッセージを前記監視部に出力し、
前記監視部は、前記第１エラーメッセージと前記第２エラーメッセージとのうち少なくとも一方の入力に応答して、前記遅延発生通知を前記処理部に出力する請求項２に記載の医用画像管理装置。
【請求項４】
前記送受信部は、前記未完了医用画像に対応する前記付帯情報として、レポート作成済み、またはレポート作成中に関する情報を有する場合、前記未完了医用画像を未送信とする請求項１乃至３のうちいずれか一項に記載の医用画像管理装置。
【発明の詳細な説明】
【技術分野】
【０００１】
本発明の実施形態は、撮影された医用画像を管理する医用画像管理装置に関する。
【背景技術】
【０００２】
従来の医用画像管理システムは、医用画像撮影装置（ＣＲ（Computed Radiography）装置、ＣＴ（Computed Tomography）装置およびＭＲＩ（Magnetic Resonance Imaging）装置等）により撮影された医用画像を、サーバ等の医用画像保管装置に送信する。送信された医用画像は、当該医用画像に付帯する付帯情報と共に、当該医用画像保管装置に保管される。
【０００３】
保管された医用画像は、上記医用画像管理システムを利用しているユーザ（読影医および臨床医等）により、医用画像閲覧装置等で閲覧される。例えば、ユーザは、医用画像閲覧装置（ビューワ）に表示された登録済み医用画像の一覧を参照して、閲覧する医用画像を選択する。選択された医用画像は、サーバからビューワへ送信される。これにより、ユーザは、医用画像を閲覧することが可能になる。
【先行技術文献】
【特許文献】
【０００４】
【特許文献１】特開２００６−３３３８８９号公報
【発明の概要】
【発明が解決しようとする課題】
【０００５】
しかしながら、従来の医用画像管理システムでは、サーバ内に備えられる記憶媒体およびサーバの一部として用いられるＮＡＳ（Network Attached Storage）等の故障、サーバへのアクセスの集中、データベースの実行計画の変更等により、ユーザが所望する画像の検索および画像の登録等に関する遅延が発生することがある。当該遅延により、早急に閲覧すべき医用画像（例えば、救急患者の医用画像および緊急で読影依頼のあった医用画像等）をビューワで閲覧できないという問題がある。
【０００６】
本実施形態の目的は、遅滞なく医用画像閲覧装置で医用画像を表示することができる医用画像管理装置を提供することにある。
【課題を解決するための手段】
【０００７】
実施形態によれば、医用画像管理装置は、医用画像撮影装置により撮影された複数の医用画像の保管に関する保管処理と、前記医用画像に付帯する付帯情報の登録に関する登録処理とを実行する処理部と、前記保管処理および前記登録処理のうち少なくとも一方が未完了である未完了医用画像のうち、表示端末へのログインに関するユーザの読影分野に対応する前記未完了医用画像を、前記表示端末に送信する送受信部とを具備する。
【図面の簡単な説明】
【０００８】
【図１】第１実施形態に係る医用画像管理装置と、ネットワークを介して医用画像管理装置に接続される医用画像撮影装置および医用画像閲覧装置とを示すブロック図。
【図２】図１に示す医用画像管理装置において、平常時の処理手順の一例を示すシーケンス。
【図３】図１に示すユーザ情報データベースに記憶されたユーザログイン情報の一例を示す図。
【図４】図１に示すユーザ情報データベースに記憶されたユーザ属性情報の一例を示す図。
【図５】図１に示す医用画像管理装置において、ユーザログイン中に保管処理の遅延が発生する場合の処理手順の一例を示すシーケンス。
【図６】図５に示す特定処理の流れを示すフローチャート。
【図７】図１に示す医用画像管理装置において、ユーザログイン中に登録処理の遅延が発生する場合の処理手順の一例を示すシーケンス。
【図８】図１に示す医用画像管理装置において、ユーザログイン時点で保管処理遅延が発生している場合の処理手順の一例を示すシーケンス。
【図９】図１に示す医用画像管理装置において、ユーザログイン時点で登録処理遅延が発生している場合の処理手順の一例を示すシーケンス。
【図１０】第２実施形態に係る医用画像管理装置と、ネットワークを介して医用画像管理装置に接続される医用画像撮影装置および医用画像閲覧装置とを示すブロック図
【図１１】図８または図１０に示す医用画像管理装置において、ユーザログイン中に保管処理遅延または登録処理遅延が発生した場合の判定処理の手順の一例を示すシーケンス。
【発明を実施するための形態】
【０００９】
以下、実施形態に係る医用画像管理装置について、図面を参照して説明する。なお、以下の説明において、略同一の機能および構成を有する構成要素については、同一符号を付し、重複説明は必要な場合に行う。
【００１０】
（第１実施形態）  
図１は、第１実施形態に係る医用画像管理装置１と、ネットワークを介して医用画像管理装置１に接続される医用画像撮影装置２および医用画像閲覧装置３，４，５とを示すブロック図である。図１に示すように、医用画像管理システムは、医用画像管理装置１と、医用画像撮影装置２と、医用画像閲覧装置（表示端末）３，４，５とを備える。図１は、一例として、医用画像管理装置１が、複数の医用画像閲覧装置と接続される場合について示している。
【００１１】
図１において、医用画像管理装置１は、３つの医用画像閲覧装置３，４，５と接続される。医用画像管理装置１と、医用画像撮影装置２と、医用画像閲覧装置３，４，５とは、インターフェイス（Ｉ／Ｆ）１０１，２０１，３０１，４０１，５０１を介してネットワークと接続される。すなわち、医用画像管理装置１、医用画像撮影装置２、および医用画像閲覧装置３，４，５間でのデータのやり取りは、インターフェイス１０１，２０１，３０１，４０１，５０１を介して行われる。また、上記ネットワークとは、例えば、院内ネットワークおよび公衆通信網等である。すなわち、図１における装置間および部間の通信は、適宜既成の標準規格を適用するものとする。
【００１２】
医用画像撮影装置２は、医用画像を撮影する装置である。例えば、医用画像撮影装置２は、ＣＲ（Computed Radiography）装置、ＣＴ（Computed Tomography）装置およびＭＲＩ（Magnetic Resonance Imaging）装置等の各種モダリティである。医用画像撮影装置２は、撮影した医用画像を、医用画像管理装置１へ出力する。
【００１３】
医用画像管理装置１は、インターフェイス（Ｉ／Ｆ）１０１と、処理部１０３と、画像保管部１０５と、検査情報記憶部１０７と、監視部１０９と、送受信部１１１と、ユーザ情報データベース１１３と、装置制御部１１５とを備える。
【００１４】
送受信部１１１は、医用画像撮影装置２から出力された医用画像を受信する。送受信部１１１は、受信した医用画像を処理部１０３へ送信する。また、送受信部１１１は、医用画像を後述する医用画像閲覧装置３，４，５のうち少なくとも１つへ送信する。
【００１５】
処理部１０３は、送受信部１１１から送信された医用画像の保管に関する保管処理を実行する。処理部１０３は、保管処理を実行することにより、当該医用画像を画像保管部１０５へ送信し、送信した医用画像を画像保管部１０５に保管する。処理部１０３は、送受信部１１１から送信された医用画像に付帯する付帯情報（例えば患者ＩＤ、患者名、生年月日、性別、受付番号、検査日時、撮影に関するモダリティ、および撮影部位等）及び当該医用画像を保存する場所の情報（パス（ｐａｔｈ）やアドレス（ａｄｄｒｅｓｓ）等の医用画像保存先情報）の登録に関する登録処理を実行する。処理部１０３は、登録処理を実行することにより、当該付帯情報および医用画像保存先情報を、検査情報記憶部１０７へ送信し、検査情報記憶部１０７に登録する。以下、説明の便宜上、処理部１０３により実行される保管処理および登録処理のうち少なくとも１つが未完了である医用画像を、未完了医用画像と呼ぶ。
【００１６】
処理部１０３は、後述する医用画像閲覧装置３，４，５のうち少なくとも１つから出力される閲覧要求に応答して、当該閲覧要求元である医用画像閲覧装置へ医用画像を出力する。以下、閲覧要求に応答して実行される各種処理を閲覧処理と呼ぶ。
【００１７】
処理部１０３は、保管処理および登録処理のうち少なくとも一方が未完了である未完了医用画像のうち、医用画像閲覧装置３，４，５へのログインに関するユーザの読影分野（読影の専門分野）に対応する未完了医用画像の特定に関する特定処理を実行する。特定処理については、後ほど詳述する。処理部１０３は、後述する監視部１０９から出力された遅延発生通知の入力に応答して、特定処理により特定された未完了医用画像を送受信部１１１に出力する。処理部１０３は、例えば、プログラムを記憶するプログラム記憶回路と、当該プログラム記憶回路から読み出したプログラムに基づくコマンドを演算処理する演算回路とからなる。
【００１８】
画像保管部１０５は、保管処理に従って、処理部１０３から送信された医用画像を保管する。なお、画像保管部１０５における保存領域は、医用画像管理装置１内にあってもよいし、ネットワークによって接続された外部記憶装置内にあってもよい。また、画像保管部１０５は、磁気ディスクであってもよいし、光学ディスクであってもよい。
【００１９】
検査情報記憶部１０７は、登録処理に従って、処理部１０３から送信された付帯情報を、対応する医用画像の保存先情報と関連付けて記憶する。なお、検査情報記憶部１０７は、ファイル形式（例えば、ＸＭＬ形式等）、またはリレーショナルデータベース形式等で、付帯情報を記憶してもよい。
【００２０】
監視部１０９は、処理部１０３により実行される保管処理および登録処理の処理状況を監視する。監視部１０９は、保管処理と登録処理とのうち少なくとも一方が所定の時間内において未完了であることを契機として、処理遅延の発生を示す遅延発生通知を処理部１０３に出力する。監視部１０９は、例えば、処理部１０３同様にプログラム記憶回路と演算回路とからなる。
【００２１】
ユーザ情報データベース１１３は、ユーザに対応付けられたユーザＩＤと、ユーザの名前情報と、ユーザの役割情報（ロール）と、ユーザの所属情報（例えば、所属科等）と、ユーザによる読影分野情報（例えば、モダリティおよび読影可能部位等）とに関するユーザ属性情報を記憶する。ユーザ属性情報については、後ほど詳述する。また、ユーザ情報データベース１１３は、ユーザＩＤ情報と、ユーザＩＤに対応するユーザのログイン状態情報と、当該ユーザのログインに関する医用画像閲覧装置３，４，５のＩＤを示すログイン端末情報とに関するユーザログイン情報を記憶する。なお、ユーザ情報データベース１１３は、ファイル形式（例えば、ＸＭＬ形式等）、またはリレーショナルデータベース形式等で、ユーザ属性情報およびユーザログイン情報を記憶してもよい。ユーザログイン情報については、後ほど詳述する。
【００２２】
なお、ユーザ属性情報に含まれるユーザＩＤ情報とユーザログイン情報に含まれるユーザＩＤ情報とにより、ユーザ属性情報とユーザログイン情報とが関連付けられている。
【００２３】
装置制御部１１５は、処理部１０３と、画像保管部１０５と、検査情報記憶部１０７と、監視部１０９と、送受信部１１１と、ユーザ情報データベース１１３との動作を制御する。
【００２４】
医用画像閲覧装置３，４，５は、医用画像管理装置１に保管された医用画像を閲覧する装置である。なお、第１実施形態では、医用画像閲覧装置３，４，５各々の動作および機能は同一であるものとし、医用画像閲覧装置３についてのみ説明する。
【００２５】
医用画像閲覧装置３は、インターフェイス（Ｉ／Ｆ）３０１と、操作部３０５と、操作制御部３０３と、表示部３０９と、表示制御部３０７と、端末制御部３１１とを備える。
【００２６】
操作部３０５は、操作者の操作に応じたコマンド等を入力するデバイスである。操作部３０５は、例えば、キーボード、マウス、タッチパネル、トラックボールおよび各種ボタン等を含む。操作部３０５には、ユーザＩＤおよびパスワード等が入力される。入力されたユーザＩＤおよびパスワード等は、医用画像管理装置１へ送信される。操作制御部３０３は、操作部３０５の動作を制御する。
【００２７】
表示部３０９は、検査情報記憶部１０７に登録された情報によって特定される医用画像を一覧表示する。例えば、表示部３０９は、医用画像をリストやサムネイル等で表示する。なお、表示部３０９は、医用画像だけでなく、当該医用画像に対応する付帯情報を表示してもよい。また、表示部３０９は、送受信部１１１から送信された医用画像を表示デバイスに表示する。表示デバイスとしては、ＣＲＴディスプレイ、液晶ディスプレイ（ＬＣＤ：Liquid Crystal Display）、有機ＥＬディスプレイ（ＯＥＬＤ：Organic Electro Luminescence Display）あるいはプラズマディスプレイ等が適宜利用可能である。表示制御部３０７は、表示部３０９の動作を制御する。
【００２８】
端末制御部３１１は、操作制御部３０３および表示制御部３０７の動作を制御する。
【００２９】
以下、第１実施形態に係る医用画像管理装置１において、平常時または遅延発生時の処理手順について、具体的に説明する。
【００３０】
図２は、図１に示す医用画像管理装置１において、平常時の処理手順の一例を示すシーケンスである。以下、説明の便宜上、医用画像閲覧装置３が医用画像管理装置１にアクセスする場合について記載する。
【００３１】
図２に示すように、操作部３０５にてユーザＩＤおよびパスワード等を入力することにより、医用画像閲覧装置３は、医用画像管理装置１にアクセスする（ユーザログイン）（シーケンスＳＱ１０１）。
【００３２】
医用画像閲覧装置３が医用画像管理装置１へアクセスすることにより、ユーザＩＤに対応するユーザログイン情報が、送受信部１１１を介して医用画像閲覧装置３からユーザ情報データベース１１３（以降、ユーザ情報ＤＢ１１３と記載）へ送信される（シーケンスＳＱ１０３）。シーケンスＳＱ１０３により、ユーザ情報ＤＢ１１３に記憶されたユーザログイン情報が更新される（シーケンスＳＱ１０５）。具体的には、当該ユーザのログイン状態情報をログイン中またはログアウトに変更する。また、ログイン中の場合、ログイン端末情報を医用画像閲覧装置３のＩＤに変更する。
【００３３】
次いで、ユーザログイン情報がユーザ情報ＤＢ１１３から処理部１０３へ送信される（シーケンスＳＱ１０６）。
【００３４】
図３は、図１に示すユーザ情報ＤＢ１１３に記憶されたユーザログイン情報の一例を示す図である。図３に示すように、ユーザログイン情報は、ユーザＩＤ情報（００００１０，００００１１，００００２０）と、ユーザＩＤに対応するユーザのログイン状態情報（ログイン中およびログアウト）と、医用画像管理装置１にアクセス可能なログイン端末情報（例えば、医用画像閲覧装置３，４のＩＤ等）とを有する。また、図３に示すユーザログイン情報は、緊急時に使用するユーザＩＤ（９９９９９９）を有する。緊急時、ユーザＩＤ（９９９９９９）を使用して医用画像管理装置１にアクセスすることにより、画像保管部１０５に保管されたすべての医用画像を閲覧することが可能になる。図４は、図１に示すユーザ情報ＤＢ１１３に記憶されたユーザ属性情報の一例を示す図である。図４に示すように、ユーザ属性情報は、ユーザに対応付けられたユーザＩＤ情報と、ユーザの名前情報と、ユーザの役割情報（ロール）と、ユーザの所属情報（例えば、所属科）と、ユーザの読影分野情報（例えば、モダリティおよび読影可能部位等）とを有する。また、図４に示すユーザ属性情報は、緊急時に使用するユーザＩＤ（９９９９９９）を有する。緊急時、ユーザＩＤ（９９９９９９）を使用して医用画像管理装置１にアクセスすることにより、画像保管部１０５に保管されたすべての医用画像を閲覧することが可能になる。
【００３５】
ここで、ユーザ属性情報に含まれるユーザＩＤ情報とユーザログイン情報に含まれるユーザＩＤ情報とにより、ユーザ属性情報とユーザログイン情報とが関連付けられている。これにより、どの医用画像閲覧装置３，４，５が医用画像管理装置１へアクセスしているか、および医用画像管理装置１へアクセスしている医用画像閲覧装置３，４，５の操作者が誰であるかを識別することが可能である。
【００３６】
医用画像撮影装置２において、医用画像が発生される（シーケンスＳＱ１０７）。医用画像撮影装置２で発生された医用画像は、送受信部１１１を介して、医用画像撮影装置２から処理部１０３へ送信される（シーケンスＳＱ１０９）。送受信部１１１を介して医用画像撮影装置２から処理部１０３へ医用画像を送信後、処理部１０３により保管処理が実行される。これにより、医用画像が処理部１０３から画像保管部１０５へ送信され、画像保管部１０５により医用画像が保管される（シーケンスＳＱ１１１）。
【００３７】
医用画像の保管後、処理部１０３により、登録処理が実行される。これにより、医用画像に対応する付帯情報が処理部１０３から検査情報記憶部１０７へ送信され、検査情報記憶部１０７により付帯情報が保管される（シーケンスＳＱ１１３）。
【００３８】
医用画像閲覧装置３の表示部３０９に画像保管部１０５に保管された医用画像の検査情報が一覧表示される（シーケンスＳＱ１１５）。このとき、医用画像は、例えば、リストやサムネイル等で表示される。なお、医用画像だけでなく、当該医用画像に対応する付帯情報も表示させてもよい。ユーザによる指示により、操作部３０５は、医用画像閲覧装置３に表示された一覧を参照して、検査画像として閲覧する医用画像を選択する（シーケンスＳＱ１１７）。
【００３９】
検査画像の選択を契機として、送受信部１１１を介して、閲覧要求が医用画像閲覧装置３から処理部１０３へ送信される（シーケンスＳＱ１１９）。
【００４０】
処理部１０３により、閲覧処理が実行される。これにより、処理部１０３から付帯情報読み出しが実行される。さらに検査情報記憶部１０７から付帯情報が出力される。次いで、検査情報記憶部１０７から出力された医用画像保管先情報に基づいて、処理部１０３により、医用画像が読み出される。さらに画像保管部１０５から医用画像が出力される（シーケンスＳＱ１２１）。
【００４１】
画像保管部１０５から出力された医用画像は、処理部１０３を介して送受信部１１１へ出力される（シーケンスＳＱ１２３）。処理部１０３から出力された医用画像は、送受信部１１１により、閲覧要求元（図２では医用画像閲覧装置３）に医用画像が送信される。
【００４２】
医用画像閲覧装置３により、送受信部１１１から送信された医用画像が表示される。
【００４３】
これにより、ユーザは、医用画像を閲覧することが可能になる。
【００４４】
（ユーザログイン中での保管処理遅延の発生）  
図５は、図１に示す医用画像管理装置１において、ユーザログイン中に保管処理の遅延（以下、保管処理遅延と呼ぶ）が発生する場合の処理手順の一例を示すシーケンスである。以下、説明の便宜上、医用画像閲覧装置３が医用画像管理装置１へアクセスしている場合について記載する。また、以下の説明において、図２と重複する部分については、説明を省略する。
【００４５】
図５に示すように、ユーザのログイン中において、医用画像撮影装置２から処理部１０３へ医用画像を送信後（シーケンスＳＱ１０９）、処理部１０３により医用画像の保管処理が実行される。これにより、医用画像に対応する付帯情報が処理部１０３から検査情報記憶部１０７へ送信される（シーケンスＳＱ２０１）。
【００４６】
ここで、保管処理遅延が発生した場合、すなわち保管処理が所定の時間内において未完了である場合、遅延発生通知が監視部１０９から処理部１０３へ出力される（シーケンスＳＱ２０３）
遅延発生通知に応答して、処理部１０３により、特定処理が実行される（シーケンスＳＱ２０５）。図６は、図５に示す特定処理の流れを示すフローチャートである。図６に示すように、処理部１０３において遅延発生通知の受信の有無が判定する（ステップＳＴ１１）。処理部１０３への遅延発生通知の入力に応答して（ステップＳＴ１１のＹｅｓ）、処理部１０３によりユーザ属性情報と付帯情報とに基づいて、医用画像閲覧装置３へのログインに関するユーザの読影分野に対応する未完了医用画像が特定される（ステップＳＴ１３）。すなわち、処理部１０３は、ユーザ属性情報から、ログインしているユーザの読影分野を抽出する。次いで、処理部１０３は、未完了医用画像における付帯情報から、撮影部位および装置名を抽出する。さらに、処理部１０３は、抽出された読影分野と撮影部位および装置名とを照会することにより、ログインに関するユーザの読影分野に対応する未完了医用画像を特定する。
【００４７】
処理部１０３による特定処理が実行された後、特定された未完了医用画像が送受信部１１１に出力される（シーケンスＳＱ２０７）。処理部１０３から出力された医用画像は、送受信部１１１により、医用画像閲覧装置３に送信される（シーケンスＳＱ２０８）。
【００４８】
医用画像閲覧装置３により、送受信部１１１から送信された医用画像が表示される（シーケンスＳＱ２０９）。
【００４９】
例えば、“胸部：ＣＲ（単純Ｘ線）“を付帯情報として有する医用画像が保管処理遅延に該当する場合、処理部１０３は、図４に示すユーザ属性情報を用いて、ロールが“読影医”、読影分野が“ＣＲ：胸部”であるユーザＩＤ（医師  三郎）を特定する。次いで、処理部１０３は、特定したユーザＩＤ（医師  三郎）と、図３に示すユーザログイン情報とを用いて、“ログイン中”の医用画像閲覧装置のＩＤを特定する。処理部１０３は、“胸部：ＣＲ（単純Ｘ線）“を付帯情報として有する医用画像を、送受信部１１１へ出力する。送受信部１１１は、胸部：ＣＲ（単純Ｘ線）“を付帯情報として有する医用画像を、ログイン端末情報において特定されたＩＤに対応する医用画像閲覧装置へ先行して送信する。
【００５０】
これにより、ユーザは、ユーザログイン中に保管処理遅延が発生した場合であっても医用画像を閲覧することが可能になる。
【００５１】
（ユーザログイン中での登録処理遅延の発生）  
図７は、図１に示す医用画像管理装置１において、ユーザログイン中に登録処理の遅延（以下、登録処理遅延と呼ぶ）が発生する場合の処理手順の一例を示すシーケンスである。以下、説明の便宜上、医用画像閲覧装置３が医用画像管理装置１にアクセスしている場合については、記載する。また、以下の説明において、図２と重複する部分については、説明を省略する。
【００５２】
図７に示すように、送受信部１１１を介して医用画像撮影装置２から処理部１０３へ医用画像を送信後（シーケンスＳＱ１０９）、処理部１０３により医用画像の保管処理が実行される。これにより、医用画像が処理部１０３から画像保管部１０５へ送信され、画像保管部１０５により医用画像が保管される（シーケンスＳＱ３０１）。
【００５３】
医用画像の保管後、処理部１０３により、登録処理が実行される。これにより、医用画像に対応する付帯情報が処理部１０３から検査情報記憶部１０７へ送信される（シーケンスＳＱ３０３）。
【００５４】
登録処理遅延が発生した場合、処理部１０３により遅延発生通知が監視部１０９から処理部１０３へ出力される（シーケンスＳＱ３０３）。
【００５５】
処理部１０３により、特定処理が実行される（シーケンスＳＱ３０７）。処理部１０３による特定処理が実行された後、特定された未完了医用画像が送受信部１１１に出力される（シーケンスＳＱ３０９）。処理部１０３から出力された医用画像は、送受信部１１１により、医用画像閲覧装置３に送信される（シーケンスＳＱ３１０）。
【００５６】
医用画像閲覧装置３により、送受信部１１１から送信された医用画像が表示される（シーケンスＳＱ３１１）。
【００５７】
例えば、“胸部：ＣＲ（単純Ｘ線）“を付帯情報として有する医用画像が登録処理遅延に該当する場合、処理部１０３は、図４に示すユーザ属性情報を用いて、ロールが“読影医”、読影分野が“ＣＲ：胸部”であるユーザＩＤ（医師  三郎）を特定する。次いで、処理部１０３は、特定したユーザＩＤ（医師  三郎）と、図３に示すユーザログイン情報とを用いて、“ログイン中”の医用画像閲覧装置のＩＤを特定する。処理部１０３は、“胸部：ＣＲ（単純Ｘ線）“を付帯情報として有する医用画像を、送受信部１１１へ出力する。送受信部１１１は、胸部：ＣＲ（単純Ｘ線）“を付帯情報として有する医用画像を、ログイン端末情報において特定されたＩＤに対応する医用画像閲覧装置へ先行して送信する。
【００５８】
これにより、ユーザは、ユーザログイン中に登録処理遅延が発生しても医用画像を閲覧することが可能になる。
【００５９】
（ユーザログイン時点での保管処理遅延の発生）  
図８は、図１に示す医用画像管理装置１において、ユーザログイン時点で保管処理遅延が発生している場合の処理手順の一例を示すシーケンスである。以下、説明の便宜上、医用画像閲覧装置３が医用画像管理装置１にアクセスする場合について記載する。
【００６０】
医用画像撮影装置２において、医用画像が発生される（シーケンスＳＱ４０１）。医用画像撮影装置２で発生された医用画像は、送受信部１１１を介して、医用画像撮影装置２から処理部１０３へ送信される（シーケンスＳＱ４０３）。医用画像撮影装置２から処理部１０３へ医用画像を送信後、処理部１０３により保管処理が実行される。これにより、医用画像に対応する付帯情報が処理部１０３から検査情報記憶部１０７へ送信される（シーケンスＳＱ４０５）。
【００６１】
ここで、保管処理遅延が発生した場合、遅延発生通知が監視部１０９から処理部１０３へ出力される（シーケンスＳＱ４０７）
保管処理遅延の発生中において、操作部３０５におけるユーザＩＤおよびパスワード等の入力により、医用画像閲覧装置３は、医用画像管理装置１にアクセスする（ユーザログイン）（シーケンスＳＱ４０９）。
【００６２】
医用画像管理装置１へアクセスすることにより、ユーザＩＤに対応するユーザのユーザログイン情報が、送受信部１１１を介して、医用画像閲覧装置３からユーザ情報ＤＢ１１３へ送信される（シーケンスＳＱ４１１）。シーケンスＳＱ４１１により、ユーザ情報ＤＢ１１３に記憶されたユーザログイン情報が更新される（シーケンスＳＱ４１３）。
【００６３】
次いで、ユーザログイン情報がユーザ情報ＤＢ１１３から処理部１０３へ送信される（シーケンスＳＱ４１４）。
【００６４】
処理部１０３により、特定処理が実行される（シーケンスＳＱ４１５）。処理部１０３による特定処理が実行された後、特定された未完了医用画像が送受信部１１１に出力される（シーケンスＳＱ４１７）。処理部１０３から出力された医用画像は、送受信部１１１により、医用画像閲覧装置３に送信される（シーケンスＳＱ４１８）。
【００６５】
医用画像閲覧装置３により、送受信部１１１から送信された医用画像が表示される（シーケンスＳＱ４１９）。
【００６６】
例えば、ユーザログイン以前に“胸部：ＣＲ（単純Ｘ線）“を付帯情報として有する医用画像に対して保管処理遅延が発生している場合、以下の処理が実行される。ユーザログイン時点において、処理部１０３は、ログインされた医用画像閲覧装置のＩＤと、ユーザログイン情報とを用いて、ユーザＩＤ（００００２０）を特定する。ユーザ属性情報において、特定したユーザＩＤ（００００２０）に対応するロールが“読影医”であって、読影分野が“ＣＲ：胸部”である場合、処理部１０３は、“胸部：ＣＲ（単純Ｘ線）“を付帯情報として有する医用画像を、送受信部１１１へ出力する。送受信部１１１は、胸部：ＣＲ（単純Ｘ線）“を付帯情報として有する医用画像を、ログインされた医用画像閲覧装置のＩＤに対応する医用画像閲覧装置へ先行して送信する。
【００６７】
これにより、ユーザは、ユーザログイン時点で保管処理遅延が発生している場合であっても医用画像を閲覧することが可能になる。
【００６８】
（ユーザログイン時点での登録処理遅延の発生）  
図９は、図１に示す医用画像管理装置１において、ユーザログイン時点で登録処理遅延が発生している場合の処理手順の一例を示すシーケンスである。以下、説明の便宜上、医用画像閲覧装置３が医用画像管理装置１にアクセスする場合について記載する。また、以下の説明において、図２および図８と重複する部分については、説明を省略する。
【００６９】
医用画像撮影装置２から処理部１０３へ医用画像を送信後（シーケンスＳＱ４０３）、処理部１０３により保管処理が実行される。保管処理が実行されることにより、医用画像が処理部１０３から画像保管部１０５へ送信され、画像保管部１０５により医用画像が保管される（シーケンスＳＱ５０１）。
【００７０】
医用画像の保管後、処理部１０３により、登録処理が実行される。これにより、医用画像に対応する付帯情報が処理部１０３から検査情報記憶部１０７へ送信される（シーケンスＳＱ５０３）。
【００７１】
ここで、登録処理遅延が発生した場合、遅延発生通知が監視部１０９から処理部１０３へ出力される（シーケンスＳＱ５０５）。
【００７２】
登録処理遅延の発生中において、操作部３０５におけるユーザＩＤおよびパスワード等の入力により、医用画像閲覧装置３は、医用画像管理装置１にアクセスする（ユーザログイン）（シーケンスＳＱ５０７）。
【００７３】
医用画像管理装置１へアクセスすることにより、ユーザＩＤに対応するユーザのユーザログイン情報が、送受信部１１１を介して、医用画像閲覧装置３からユーザ情報ＤＢ１１３へ送信される（シーケンスＳＱ５０９）。シーケンスＳＱ５０９により、ユーザ情報ＤＢ１１３に記憶されたユーザログイン情報が更新される（シーケンスＳＱ５１０）。
【００７４】
次いで、ユーザログイン情報がユーザ情報ＤＢ１１３から処理部１０３へ送信される（シーケンスＳＱ５１１）。
【００７５】
ユーザログイン情報がユーザ情報ＤＢ１１３から処理部１０３へ送信されたことに応答して、処理部１０３により、特定処理が実行される（シーケンスＳＱ５１３）。
【００７６】
処理部１０３による特定処理が実行された後、特定された未完了医用画像が送受信部１１１に出力される（シーケンスＳＱ５１５）。処理部１０３から出力された医用画像は、送受信部１１１により、医用画像閲覧装置３に送信される（シーケンスＳＱ５１６）。
【００７７】
例えば、ユーザログイン以前に“胸部：ＣＲ（単純Ｘ線）“を付帯情報として有する医用画像に対して登録処理遅延が発生している場合、以下の処理が実行される。ユーザログイン時点において、処理部１０３は、ログインされた医用画像閲覧装置のＩＤと、ユーザログイン情報とを用いて、ユーザＩＤ（００００２０）を特定する。ユーザ属性情報において、特定したユーザＩＤ（００００２０）に対応するロールが“読影医”であって、読影分野が“ＣＲ：胸部”である場合、処理部１０３は、“胸部：ＣＲ（単純Ｘ線）“を付帯情報として有する医用画像を、送受信部１１１へ出力する。送受信部１１１は、胸部：ＣＲ（単純Ｘ線）“を付帯情報として有する医用画像を、ログインされた医用画像閲覧装置のＩＤに対応する医用画像閲覧装置へ先行して送信する。
【００７８】
医用画像閲覧装置３により、送受信部１１１から送信された医用画像が表示される（シーケンスＳＱ５１７）。
【００７９】
これにより、ユーザは、ユーザログイン時点で登録処理遅延が発生している場合であっても、医用画像を閲覧することが可能になる。
【００８０】
以上に述べた構成によれば、以下の効果を得ることができる。  
上記構成によれば、第１実施形態に係る医用画像管理装置１では、処理部１０３は、保管処理と登録処理とを実行する。送受信部１１１は、保管処理および登録処理のうち少なくとも一方が未完了である未完了医用画像のうち、医用画像閲覧装置へのログインに関するユーザの読影分野に対応する未完了医用画像を、医用画像閲覧装置に送信する。これにより、保管処理および登録処理のうち少なくとも一方が遅延した場合であっても、医用画像を先行して医用画像閲覧装置に送信することが可能になる。すなわち、ユーザが所望する医用画像を医用画像閲覧装置で遅滞なく表示することが可能になる。例えば、ユーザは、保管処理遅延および登録処理遅延の発生時においても、所望の医用画像を参照することが可能になる。
【００８１】
これらのことから、閲覧すべき医用画像（救急患者の医用画像、および緊急で読影依頼のあった医用画像等）を遅延なく読影することが可能になる。例えば、医用画像管理装置１は、サーバ内に備えられる記憶媒体およびサーバの一部として用いられるＮＡＳ（Network Attached Storage）等の故障、サーバへのアクセスの集中、データベースの実行計画の変更等により、ユーザが所望する画像の検索および画像の登録等に関する遅延が発生したとしても、閲覧すべき医用画像を医用画像閲覧装置で閲覧することが可能になる。
【００８２】
以上のことから、第１実施形態に係る医用画像管理装置１は、例えば、医療行為の質の向上、および効率化を図ることができる。
【００８３】
なお、画像保管部１０５は、保管処理が所定の時間内において未完了であることを契機として第１エラーメッセージを監視部１０９に出力してもよい。また、検査情報記憶部１０７は、登録処理が所定の時間内において未完了であることを契機として第２エラーメッセージを監視部１０９に出力してもよい。監視部１０９は、第１エラーメッセージと第２エラーメッセージとのうち少なくとも一方の入力に応答して、遅延発生通知を処理部１０３に出力してもよい。
【００８４】
（第２実施形態）  
図１０は、第２実施形態に係る医用画像管理装置１と、ネットワークを介して医用画像管理装置１に接続される医用画像撮影装置２および医用画像閲覧装置３，４，５とを示すブロック図である。なお、以下の説明において、図１に示す略同一の機能および構成を有する構成要素については、同一符号を付し、重複説明は必要な場合に行う。
【００８５】
図１０に示すように、処理部１０３は、特定された未完了医用画像に対応する付帯情報に対して、ユーザ（例えば、読影医）による読影結果を示すレポートが作成済み、または当該レポート作成中に関する情報の有無の判定に関する判定処理を実行する。判定処理については、後ほど詳述する。
【００８６】
送受信部１１１は、当該判定処理により、レポート作成済み、または当該レポート作成中に関する情報を付帯していると判定された未完了医用画像を未送信とする。
【００８７】
以下、第２実施形態に係る医用画像管理装置１において、保管処理遅延または登録処理遅延の発生時における判定処理の手順について、具体的に説明する。
【００８８】
図１１は、図８または図１０に示す医用画像管理装置１において、ユーザログイン中に保管処理遅延または登録処理遅延が発生した場合の判定処理の手順の一例を示すシーケンスである。以下の説明において、図２、図５、図７、図８、および図１０と重複する部分については、説明を省略する。
【００８９】
処理部１０３により特定処理が実行された後（シーケンスＳＱ２０５）、処理部１０３により判定処理が実行される。
【００９０】
例えば、処理部１０３は、特定された未完了医用画像に対応する付帯情報からレポート作成に関する情報（以下、レポート情報と呼ぶ）を抽出する。処理部１０３は、抽出したレポート情報において、レポート作成済み、またはレポート作成中に関する情報の有無を判定する（シーケンスＳＱ６０１）。
【００９１】
レポート作成済みまたはレポート作成中でない場合、未完了医用画像が処理部１０３から送受信部１１１へ出力される（シーケンスＳＱ６０３）。処理部１０３から出力された医用画像は、送受信部１１１により、医用画像閲覧装置３へ送信される（シーケンスＳＱ６０５）。
【００９２】
レポート作成済みまたはレポート作成中である場合、送受信部１１１は、レポート作成済み、またはレポート作成中に関する情報を有する付帯情報に対応する未完了医用画像を未送信とする。
【００９３】
医用画像閲覧装置３により、送受信部１１１から送信された医用画像が表示される（シーケンスＳＱ６０７）。
【００９４】
これにより、レポート作成済み、またはレポート作成中である未完了医用画像を重複して送信することを防止することが可能になる。
【００９５】
以上に述べた構成によれば、以下の効果を得ることができる。  
上記構成によれば、第２実施形態に係る医用画像管理装置１において、処理部１０３は、特定された未完了医用画像に対応する付帯情報に対して、ユーザ（例えば、読影医）による読影結果を示すレポートが作成済み、または当該レポート作成中に関する情報の有無の判定に関する判定処理を実行する。次いで、送受信部１１１は、当該判定処理により、レポート作成済み、または当該レポート作成中に関する情報を付帯していると判定された未完了医用画像を未送信とする。これにより、レポート作成済み、またはレポート作成中である未完了医用画像を重複して複数の医用画像閲覧装置に送信することを防止することが可能になる。
【００９６】
したがって、第２実施形態に係る医用画像管理装置１は、例えば、医療行為の質の向上、および効率化を図ることができる。
【００９７】
なお、上記判定処理は、第１実施形態に組み込まれてもよい。すなわち、上記判定処理は、ユーザログイン中における保管処理遅延および登録処理遅延の発生時と、ユーザログイン時点における保管処理遅延および登録処理遅延の発生時とにおいても適用可能である。
【００９８】
また、第１および第２実施形態は、医用レポート作成装置等を有していてもよい。また、第１および第２実施形態における各装置および各部は、他のシステムまたは装置に組み込まれてもよい。例えば、画像保管部１０５は、医用画像管理装置１自身が備えなければならない必然性はなく、ネットワーク上に設けてもよい。また、監視部１０９は、処理部１０３の一機能として実現してもよい。すなわち、第１および第２実施形態における各装置および各部の物理的な配置は、限定されない。
【００９９】
また、緊急患者に対しては特定の患者ＩＤ（例えば「９９９９９」等）を付す運用とし、当該緊急用の患者ＩＤを付帯情報に含む医用画像を医用画像撮影装置２から受信すると、当該緊急患者の医用画像の登録処理や保管処理を実行する前、或いは当該医用画像の登録処理や保管処理と並行させて、当該医用画像の緊急患者対応用医用画像閲覧装置に対する送信処理を実行させるようにしても良い。この場合、緊急患者対応用に割り当てられている医用画像閲覧装置は、緊急用の患者ＩＤを付帯情報に含む医用画像を受信すると、その旨を音や表示で報知したり、当該医用画像を受信と同時に表示するように構成すると、更に実用的なものとなる。
【０１００】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【０１０１】
１…医用画像管理装置、１０３…処理部、１０５…画像保管部、１０７…検査情報記憶部、１０９…監視部、１１１…送受信部、１１３…ユーザ情報データベース、１１５…装置制御部、２…医用画像撮影装置、１０１，２０１，３０１，４０１，５０１…インターフェイス（Ｉ／Ｆ）、３０３…操作制御部、３０５…操作部、３０７…表示制御部、３０９…表示部、３１１…端末制御部、３，４，５…医用画像閲覧装置。
【図１】
2016221063.tif 000003
【図２】
2016221063.tif 000004
【図３】
2016221063.tif 000005
【図４】
2016221063.tif 000006
【図５】
2016221063.tif 000007
【図６】
2016221063.tif 000008
【図７】
2016221063.tif 000009
【図８】
2016221063.tif 000010
【図９】
2016221063.tif 000011
【図１０】
2016221063.tif 000012
【図１１】
2016221063.tif 000013